(57)【要約】【課題】プランジャロッドが回転するのを防止することができるダイカスト用射出装置の提供。【解決手段】ダイカスト用射出装置１は、ピストンロッド６を備えた射出シリンダと、ピストンロッド６にカップリング７を介して連結されたプランジャロッド３と、プランジャロッド３の先端に連結されて射出スリーブ５内に配置されるプランジャチップ２とを有しており、射出スリーブ５内に給湯された金属溶湯をプランジャチップ２によって金型キャビティ内に射出する。プランジャロッド３の上面にはその軸線方向に沿って延びる切欠き３Ｃが形成されることにより、プランジャロッド３の回転が防止されている。【選択図】  図１
2011092968.tif 000002
【特許請求の範囲】
【請求項１】
ピストンロッドを備えた射出シリンダと、該ピストンロッドにカップリングを介して連結されたプランジャロッドと、該プランジャロッドの先端に連結されてスリーブ内に配置されるプランジャチップとを有し、該スリーブ内に給湯された金属溶湯を該プランジャチップによって金型キャビティ内に射出するダイカスト用射出装置において、該プランジャロッド３の重心Ｇがプランジャチップの中心Ｃよりも下方に偏心して位置することを特徴とするダイカスト用射出装置。
【請求項２】
該プランジャロッドの上面にはその軸線方向に沿って延びる切欠きが形成されていることを特徴とする請求項１に記載のダイカスト用射出装置。
【発明の詳細な説明】
【技術分野】
【０００１】
本発明は、ダイカスト法に用いられるダイカスト用射出装置に関する。
【背景技術】
【０００２】
ダイカスト法に用いられる射出装置は、下記特許文献１所載のように、プランジャチップを先端に取り付けたプランジャロッドと射出シリンダのピストンロッドとをカップリングにより連結し、射出シリンダの作動によりプランジャチップを前進させることにより、射出スリーブ内の金属溶湯を金型キャビティ内に射出する構造になっている。
【先行技術文献】
【特許文献】
【０００３】
【特許文献１】特開２００５−２１９０２号公報
【発明の概要】
【発明が解決しようとする課題】
【０００４】
しかし、上記特許文献１のような従来の射出装置においては、プランジャロッドとピストンロッドを連結するカップリングは両ロッドを周方向に対しては係止していないので、スリーブ内を摺動するプランジャチップが摺動抵抗を受けるとプランジャロッドがプランジャチップと一体に回転してしまう場合がある。プランジャロッドにはプランジャチップを冷却する冷却水を供給・排出するための冷却ホースが接続されており、プランジャロッドが回転してしまうと冷却ホースが破損したり、冷却ホースがプランジャロッドから外れたりするという事態が生じ、生産性が低下するという問題がある。
【０００５】
本発明はかかる点に鑑みてなされたものであり、その目的とするところは、プランジャロッドが回転するのを防止することができるダイカスト用射出装置を提供することである。
【課題を解決するための手段】
【０００６】
本発明のダイカスト用射出装置は、前述の課題解決のために、ピストンロッド６を備えた射出シリンダと、該ピストンロッド６にカップリング７を介して連結されたプランジャロッド３と、該プランジャロッド３の先端に連結されて射出スリーブ５内に配置されるプランジャチップ２とを有し、該射出スリーブ５内に給湯された金属溶湯を該プランジャチップ２によって金型キャビティ内に射出するダイカスト用射出装置１において、プランジャロッド３の重心Ｇがプランジャチップの中心Ｃよりも下方に偏心して位置することを特徴とする。
【０００７】
ここで、該プランジャロッド３の上面にはその軸線方向に沿って延びる切欠き３Ｃが形成されていることが好ましい。
【発明の効果】
【０００８】
本発明のダイカスト用射出装置によれば、ダイカスト法を行っている際にプランジャロッドが回転することが阻止されるので、冷却ホースが破損したり、冷却ホースがプランジャロッドから外れたりすることによる生産性の低下を防ぐことができる等の効果を奏する。
【図面の簡単な説明】
【０００９】
【図１】本実施形態のダイカスト用射出装置の構造を示す部分断面図である。
【図２】図１のＡ−Ａ断面図である。
【発明を実施するための形態】
【００１０】
本発明の実施形態について図面に基づいて説明する。図１において、１はダイカスト法を行うのに用いられるダイカスト用射出装置である。プランジャチップ２がプランジャロッド３の先端に接手４により連結されており、プランジャチップ２は図示せぬ固定型に配置された射出スリーブ５内を摺動可能となっている。プランジャロッド３は、大径部３Ａと小径部３Ｂとからなる円柱形状であり、大径部３Ａはカップリング７内に収容されて図示せぬ射出シリンダのピストンロッド６の先端とカップリング７によって連結されている。プランジャチップ２の内部には冷却用の穴部２aが形成され、この穴部２aには接手４の中心と、プランジャロッド３の小径部３Ｂの中心とに形成された冷却水排出路８が連通している。また、冷却水排出路８内には冷却水供給管９が配設され、冷却水供給管９の先端はプランジャチップ２の穴部２aに連通している。プランジャロッド３の小径部３Ｂの後端寄りの位置には、冷却水供給管９と連通する冷却水供給ポート３aと、冷却水排出路８と連通する冷却水排出ポート３ｂとが形成されている。冷却水供給ポート３a及び冷却水排出ポート３ｂには冷却ホース１０が夫々接続されており、冷却水供給ポート３aから冷却水を供給してプランジャチップ２を冷却し、冷却水排出ポート３ｂから冷却水を排出できるように構成されている。
【００１１】
図１に示すように、プランジャロッド３の小径部３Ｂの上面には、プランジャロッド３の軸線方向に沿って延びるように所定範囲に亘って切欠き３Ｃが形成されている。このようにプランジャロッド３の上面の所定範囲に切欠き３Ｃを形成することにより、図２に示すようにプランジャロッド３の重心Ｇがプランジャロッド３の中心Ｃよりも下方に偏心して位置するように構成されている。
【００１２】
以上のように構成されたダイカスト用射出装置１によりダイカスト法を行うには、射出スリーブ５の図示せぬ給湯孔からアルミニウム合金等の金属溶湯を射出スリーブ５内に注入し、射出シリンダの作動によってプランジャチップ２を射出スリーブ５内で摺動させることにより、金属溶湯を図示せぬ金型キャビティ内に充填する。この際、プランジャロッド３とピストンロッド６を連結するカップリング７は両ロッドを周方向に対しては係止していないので、射出スリーブ５内を摺動するプランジャチップ２が摺動抵抗を受けるとプランジャロッド３はプランジャチップ２と一体に回転しようとする場合があるが、本実施形態のダイカスト用射出装置１においてはプランジャロッド３の上面には切欠き３Ｃが形成され、プランジャロッド３の重心Ｇがプランジャチップの中心Ｃよりも下方に偏心して位置するように構成されているので、プランジャロッド３が回転することが阻止される。従って、プランジャロッド３の回転によってプランジャロッド３に接続された冷却ホース１０が破損したり、冷却水供給ポート３aや冷却水排出ポート３ｂから冷却ホース１０が外れたりすることがなく、ダイカスト法を生産性よく行うことができる。
【００１３】
本発明によるダイカスト法用射出装置は、上述した実施形態に限定されず、特許請求の範囲に記載した範囲で種々の変形や改良が可能である。例えば、上述した実施形態においては、プランジャロッド３の上面の所定範囲に切欠き３Ｃを形成することにより、プランジャロッド３の重心Ｇがプランジャロッド３の中心Ｃよりも下方に偏心して位置するように構成されていたが、これに限定されない。冷却水排出通路をプランジャロッドの中心よりも上方に偏心した位置に形成したり、プランジャロッドの中心よりも上方にプランジャロッドの軸線方向に沿って延びる穴を形成したりすることにより、プランジャロッドの重心がプランジャロッドの中心よりも下方に偏心して位置するように構成してもよい。
【符号の説明】
【００１４】
１      ダイカスト用射出装置
２      プランジャチップ
２ａ    穴部
３      プランジャロッド
３ａ    冷却水供給ポート
３ｂ    冷却水排出ポート
３Ａ    大径部
３Ｂ    小径部
３Ｃ    切欠き
４      接手
５      射出スリーブ
６      ピストンロッド
７      カップリング
８      冷却水排出路
９      冷却水供給管
１０    冷却ホース
Ｃ      プランジャロッドの中心
Ｇ      プランジャロッドの重心
【図１】
2011092968.tif 000003
【図２】
2011092968.tif 000004